(57)【要約】【課題】  本発明は、主としてズボンやスカート等にウエストサイズ調整用としてウエスト部に取付けて使用され、これらのサイズを一定範囲内において調整可能とする調整用鉤ホックを提供する。【解決手段】  雄ホックを有してスカート、ズボン等の開放端部の一端に取付けられ、ウエストサイズを調節可能とする調節用鉤ホックにおいて、調節用鉤ホックはスライドホック部材及び基体から構成され、スライドホック部材における一端部は折曲して雄ホックを形成し、基体はスライドホック部材の長手方向にスライド可能となるよう、基体を折曲してスライドホック部材を覆設するとともに、当該折曲した一部にズボン等への取付手段を具備し、スライドホック部材及び基体を係合手段にて係合したことを特徴とする調節用鉤ホック。【選択図】  図４
2010000177.tif 000002
【特許請求の範囲】
【請求項１】
雄ホックを有してスカート、ズボン等の開放端部の一端に取付けられ、ウエストサイズを調節可能とする調節用鉤ホックにおいて、
調節用鉤ホックはスライドホック部材及び基体から構成され、
スライドホック部材における一端部は折曲して雄ホックを形成し、
基体はスライドホック部材の長手方向にスライド可能となるよう、基体を折曲してスライドホック部材を覆設するとともに、当該折曲した一部にズボン等への取付手段を具備し、
スライドホック部材及び基体を係合手段にて係合したことを特徴とする調節用鉤ホック。
【請求項２】
係合手段は、スライドホック部材の幅方向における平面部を覆設する基体の端面の一部を係合爪とし、
当該係合爪は当該端面の一端辺から長手方向に沿って両端に溝を有してなり、
当該端面の一端辺側における係合爪の端部を略フック形状として、
スライドホック部材の幅方向における平面部の長手方向に沿って列設する係合孔に係合させることを特徴とする請求項１に記載の調節用鉤ホック。
【請求項３】
係合手段は、スライドホック部材の幅方向における平面部を覆設する基体の端面に係合孔を設け、
スライドホック部材の幅方向における平面部の長手方向に沿って列設する係合凸部を係合させることを特徴とする請求項１に記載の調節用鉤ホック。
【請求項４】
スライドホック部材における他端部に、幅方向若しくは雄ホックを有する側に突出してなる当接片を設け、雄ホックと対向する位置の平面部に段差を設けたことを特徴とする請求項１、請求項２又は請求項３に記載の調節用鉤ホック。
【発明の詳細な説明】
【技術分野】
【０００１】
本発明は、主としてズボンやスカート等にウエストサイズ調整用としてウエスト部に取付けて使用され、これらのサイズを一定範囲内において調整可能とする調整用鉤ホックに関する。
【背景技術】
【０００２】
従来から、ズボン或いはスカート等の衣服のウエストサイズを調整可能とする構成が知られている。
例えば、本出願人は、次のようなウエストサイズ調節具を発明している。ズボン等の開放端部の一端に取付けられる雄ホック体と、開放端部の他端に取付けられ、前記雄ホック体と係脱自在に掛止する受止体とからなるウエストサイズ調節具において、前記雄ホック体は、長手方向に溝を形成したスライドガイド部材と、該スライドガイド部材の長手方向に摺動可能で、且つ、受止体との掛止手段となる鈎ホック部を形成したスライドホック部材とから構成され、前記スライドガイド部材は、前記溝の底部に、所定間隔で列設された係合突起を有し、前記スライドホック部材は、前記溝内を摺動し、且つ前記係合突起に対して係止可能な係合爪を形成したウエストサイズ調節具が公知である。（例えば、特許文献１参照）。
【特許文献１】特開２００３−１３５１０８号公報
【発明の開示】
【発明が解決しようとする課題】
【０００３】
しかし、当該構成においては、スライドホック部材において鉛直方向に設けられた係合爪を、スライドガイド部材における溝の底部に設けられた係合突起に対して係止可能とし、撓み量を維持すべく所定の長さを有するようにしたことから、結果として、衣服用ホックの厚みが増してしまう。
また、雄ホックと雌ホックが別体である為、いずれを紛失しても使用が不可能となってしまうものである。
【０００４】
そこで、本発明はこのような問題点を解決するものであって、主としてズボンやスカート等にウエストサイズ調整用としてウエスト部に取付けて使用され、これらのサイズを一定範囲内において調整可能とする調整用鉤ホックを提供することを課題とする。
【課題を解決するための手段】
【０００５】
前記問題点を解決するために、本発明の請求項１に記載の発明の調節用鉤ホックは、雄ホックを有してスカート、ズボン等の開放端部の一端に取付けられ、ウエストサイズを調節可能とする調節用鉤ホックにおいて、調節用鉤ホックはスライドホック部材及び基体から構成され、スライドホック部材における一端部は折曲して雄ホックを形成し、基体はスライドホック部材の長手方向にスライド可能となるよう、基体を折曲してスライドホック部材を覆設するとともに、当該折曲した一部にズボン等への取付手段を具備し、スライドホック部材及び基体を係合手段にて係合したことを特徴とするものである。
【０００６】
また、本発明の請求項２に記載の発明の調節用鉤ホックは、請求項１記載の調節用鉤ホックにおいて、係合手段は、スライドホック部材の幅方向における平面部を覆設する基体の端面の一部を係合爪とし、当該係合爪は当該端面の一端辺から長手方向に沿って両端に溝を有してなり、当該端面の一端辺側における係合爪の端部を略フック形状として、スライドホック部材の幅方向における平面部の長手方向に沿って列設する係合孔に係合させることを特徴とするものである。
【０００７】
また、本発明の請求項３に記載の発明の調節用鉤ホックは、請求項１に記載の調節用鉤ホックにおいて、係合手段は、スライドホック部材の幅方向における平面部を覆設する基体の端面に係合孔を設け、スライドホック部材の幅方向における平面部の長手方向に沿って列設する係合凸部を係合させることを特徴とするものである。
【０００８】
また、本発明の請求項４に記載の発明の調節用鉤ホックは、請求項１乃至請求項３に記載の調節用鉤ホックにおいて、スライドホック部材における他端部に、幅方向若しくは雄ホックを有する側に突出してなる当接片を設け、雄ホックと対向する位置の平面部に段差を設けたことを特徴とするものである。
【発明の効果】
【０００９】
請求項１記載の調節用鉤ホックに係る発明では、基体に雄ホックを形成し、基体に対してスライド可能となるよう折曲して基体を覆設したスライドホック部材に雌ホックを形成し、両者を係合手段によって係合したので、ズボン等のウエストサイズが利用者のウエストサイズに適合するサイズに調節することができるといった、従来からの効果と同様の効果を奏することは勿論のこと、ズボン等における上生地の裏面に調節用鉤ホックを取り付けるので、ズボン、スカート等におけるウエスト部の体裁をよくすることができる。
また、購入時におけるズボン等に取付けられている衣服用雌ホックを使用することから、いずれか一方のみを紛失してしまい、調節用鉤ホックの使用ができなくなることもなくなる。
【００１０】
また、請求項２記載の調節用鉤ホックに係る発明では、請求項１記載の調節用鉤ホックにおいて、係合手段をスライドホック部材の幅方向における平面部を覆設する基体の端面の一部を係合爪とし、当該係合爪は当該端面の一端辺から長手方向に沿って両端に溝を有してなり、当該端面の一端辺側における係合爪の端部を略フック形状として、スライドホック部材の幅方向における平面部の長手方向に沿って列設する係合孔に係合させるので、スライドホック部材における平面部と係合爪を並設するようにして設けることができる。よって、調節用鉤ホックの高さを減少させることができる。従って、調節用鉤ホックを全体として薄型にすることができ、意匠性を向上させることができる。
【００１１】
また、請求項３記載の調節用鉤ホックに係る発明では、請求項１記載の調節用鉤ホックにおいて、係合手段は、スライドホック部材の幅方向における平面部を覆設する基体の端面に係合孔を設け、スライドホック部材の幅方向における平面部の長手方向に沿って列設する係合凸部を係合させるので、請求項２に記載の調節用鉤ホックと同様に、調節用鉤ホックの高さを減少させることができる。これによって、調節用鉤ホックを全体として薄型にすることができ、意匠性を向上させることができる。
【００１２】
また、請求項４記載の調節用鉤ホックに係る発明では、請求項１乃至請求項３に記載の調節用鉤ホックにおいて、スライドホック部材における他端部に、幅方向若しくは雄ホックを有する側に突出してなる当接片を設けたので、スライドホック部材がスライドした際でも、スライドホック部材における当接片と基体が当接するので、スライドホック部材が外れるのを防止することができる。
また、雄ホックと対向する位置の平面部に段差を設けたので、購入時におけるズボン等に取付けられている衣服用雌ホックの係合時において、基体が雄ホックの中まで入り込むことがなく、係合操作を円滑に行うことができる。
【発明を実施するための最良の形態】
【００１３】
以下、本発明の実施の形態における調節用鉤ホックを図面に基づいて説明する。
【００１４】
図１は、本発明の実施例における調節用鉤ホック及び固定体の斜視図である。図２は、本発明の実施例における調節用鉤ホックの（ａ）正面図、及び（ｂ）正面垂直断面図である。図３は、本発明の実施例における調節用鉤ホックの（ａ）背面図、及び（ｂ）平面図である。図４は、本発明の実施例における調節用鉤ホックをズボンのウエスト部へ取り付けた際の部分説明図である。図５は、本発明の実施例における調節用鉤ホックをズボンのウエスト部へ取り付けた際の垂直断面図である。図６は、本発明の実施例における別仕様の調節用鉤ホックの斜視図である。図７は、本発明の実施例における別仕様の調節用鉤ホックの（ａ）正面図、及び（ｂ）正面垂直断面図である。
【実施例】
【００１５】
本発明の調節用鉤ホックの実施例について、図１乃至図７に基づいて説明する。
【００１６】
本願発明の実施の形態に係る調節用鉤ホック１は、図４に示すように、ズボン５におけるウエスト部５ａにおける下生地５ｃのズボン雌ホック５ｄへ取り付けられるスライドホック部材２、及び固定体４を介して上生地５ｂへ取り付けられる基体３が係合されることによって構成されている。
【００１７】
スライドホック部材２は、図１乃至図３に示すように、略長方形の例えば、ステンレスの金属板を略Ｊ字状に折曲することにより形成され、係合孔２ｄを有する平面部２ａ、雄ホック２ｂ、及び当接片２ｃからなるものである。
平面部２ａにおける長手方向の一端部は、幅寸法が合致するよう略Ｊ字状に折曲され、ズボン５におけるズボン雌ホック５ｄへ係合される雄ホック２ｂを形成する。また、図２及び図３に示すように、雄ホック２ｂにおける幅方向の略中央部には、長手方向に沿ってホック内突起２ｆが形成されている。これにより、ズボン雌ホック５ｄとの係着力を高めることができる。
更に、ホック内突起２ｆと対向する位置の平面部２ａには、後述する基体３が当接し得るよう段差２ｅが形成されている。これにより、後述のズボン雌ホック５ｄの係合時において、基体３が雄ホック２ｂの中まで入り込むことがなく、係合操作を円滑に行うことができる。
一方、長手方向の他端部には、スライドホック部材２が基体３から離脱するのを防止する為に、雄ホック２ｂを有する側に突出してなる当接片２ｃが設けられている。また、当接片２ｃは、スライドホック部材２における幅方向に突出するよう設けることもできる。
【００１８】
また、当接片２ｃ側における平面部２ａの幅方向の略中央部には、所定の間隔を有して複数個の係合孔２ｄが列設されており、当該間隔によって、ウエストサイズの調節を可能とするものである。係合孔２ｄの形状は、後述する基体３における係合爪３ｅにおける略フック形状の端部が係合し得る形状であればよく、略四角形状、略円形状、楕円状等にすることができる。
【００１９】
基体３は、図１乃至図３に示すように、スライドホック部材２における幅寸法を覆設するように、上端面部３ａ、第一側面部３ｂ、第二側面部３ｃ及び下端面部３ｄを有して、例えば、ステンレスの金属板を折曲することにより形成される。
また、上端面部３ａの一部を切欠いて、第一側面部３ｂより延設される切欠片３ｇは、第二側面部３ｃと略同様の長さに折曲される。このとき、折曲される第二側面部３ｃ及び切欠片３ｇは、上端面部３ａより突出するよう形成されることが望ましい。これにより、上生地５ｂに取付けられる際には、第二側面部３ｃ及び切欠片３ｇが上生地５ｂと当接するので、スライドホック部材２がスライドする際に、上生地５ｂに引っ掛かるようなこともなく、円滑にウエストサイズの調節を行うことができる。
更に、第一側面部３ｂ及び第二側面部３ｃの一端部には、上生地５ｂへの取付手段となる爪部３ｈが、組み立てられた調節用鉤ホック１の鉛直上方に向かって延設して形成されている。
【００２０】
また、図１及び図３（ｂ）に示すように、幅方向の上端面部３ａにおける略中央部には、一端辺から他端辺付近まで、所定の長さの溝３ｆが２箇所に設けられ、当該溝３ｆの間は係合爪３ｅを形成する。また、係合爪３ｅの端部は、図２（ｂ）に示すように、下端面部３ｄ側へ略フック形状に折曲させて形成される。このように、スライドホック部材２における係合孔２ｄに係合させやすいよう、係合爪３ｅは一端辺から他端辺までの所定の長さを有して、金属板の弾性を利用し、撓み易いよう形成されている。
【００２１】
次に、本実施例における調節用鉤ホック１の組立方法の一例について説明する。
まず、基体３における係合爪３ｅをスライドホック部材２における当接片２ｃ側に配置し、スライドホック部材２における平面部２ａの下方位置で、且つ、雄ホック２ｂとの間隙で段差２ｅより当接片２ｃ側に、基体３における下端面部３ｄを配置する。後に、下端面部３ｄをスライドホック部材２における幅寸法よりも僅かに大きくして、第一側面部３ｂ及び第二側面部３ｃを折曲して設け、係合爪３ｅを有した上端面部３ａを平面部２ａの上方から覆設するように折曲させ、狭持して係合する。このとき、上端面部２ａの端部辺は、図３（ｂ）に示すように、第二側面部３ｃと当接することが望ましい。
このようにして、調節用鉤ホック１は組み立てられる。
【００２２】
このようにして係合されるスライドホック部材２は、係合孔２ｄの間隔に応じてスライド可能となるが、スライドホック部材２における当接片２ｃと基体３における下端面部３ｄが当接するので、スライドホック部材２は外れることはない。
【００２３】
固定体４は、調節用鉤ホック１の取り付けの際に使用されるもので、図１に示すように、略長方形の例えば、アルミニウム、鋼、真鍮等の金属板から形成され、幅方向には段部４ａを有し、更に段部４ａの両端部には、調節用鉤ホック１における爪部３ｈが挿通するよう貫通孔４ｂが設けられている。
【００２４】
図４及び図５に示すようにして、本実施例における調節用鉤ホック１はズボン５等へと取付けられる。
まず、ウエスト部５ａにおける上生地５ｂに、固定体４を介して調節用鉤ホック１を取り付ける。具体的には、スライドホック部材２における雄ホック２ｂを上生地５ｂの端部側に位置するように配置し、基体３における爪部３ｈを上生地５ｂの裏面より貫通させた後、固定体４における段部４ａの凸部を上生地５ｂと当接させるようにして、上生地５ｂの表面より固定体４の貫通孔４ｂに爪部３ｈを挿通させる。更に、爪部３ｈを折曲して固定体４における段部４ａに収納させることで、調節用鉤ホック１は上生地５ｂへと取付けられる。このとき、固定体４における段部４ａは、基体３における爪部３ｈの厚みよりも大きく設けることで、折曲した爪部３ｈを収納させ得るので望ましい。
【００２５】
本実施例によれば、図４及び図５に示すように、調節用鉤ホック１が取付けられたズボン５は、利用者（着衣者）が着衣して、調節用鉤ホック１における雄ホック２ｂをズボン雌ホック５ｄに掛ける。
【００２６】
このとき、予め、調節用鉤ホック１におけるスライドホック部材２をスライドさせ、利用者のウエストサイズに調節しておく必要がある。調節用鉤ホック１の通常着用状態においては、腹圧がズボン雌ホック５ｄと係合される雄ホック２ｂの下端面に対して略垂直方向に作用する為、スライドホック部材２が基体３に押し付けられることになる。よって、不用意にスライドホック部材２がスライドしないことから、係合爪３ｅにおける略フック形状の端が係合孔２ｄに確実に係合された状態を維持することになる。
【００２７】
調節用鉤ホック１における係合手段の調節においては、係合爪３ｅは上端面部３ａ上において、一端辺から他端辺までの所定の長さを有して、金属板の弾性を利用し、撓み易いよう形成されているので、指でスライドホック部材２をスライドさせると、係合孔２ｄに係合されている略フック形状の端部が係合孔２ｄの内壁に当接し、固定体４を有する側に向かって十分撓む。これによって、係合孔２ｄとの係合を解除し得る。従って、係合爪３ｅは、係合孔２ｄを円滑に乗り越えることができ、隣接する係合孔２ｄへ係合させることで行うことができる。
【００２８】
以上、説明した本発明の実施例に係る調節用鉤ホック１によれば、ズボン５のウエストサイズが利用者のウエストサイズに適合するサイズに調節することができるといった、従来からの効果と同様の効果を奏することは勿論のこと、ズボン５における上生地５ｂの裏面に調節用鉤ホック１を取り付けるので、ズボン、スカート等におけるウエスト部の体裁をよくすることができる。
また、スライドホック部材２と基体３とを一体に係合して形成することから、いずれか一方のみを紛失してしまい、調節用鉤ホック１の使用ができなくなることもなくなる。
更に、係合爪３ｅをスライドホック部材２における平面部２ａに並設するようにして設けたことから、調節用鉤ホック１の高さを減少させることができる。これによって、調節用鉤ホック１を全体として薄型にすることができ、意匠性を向上させることができる。
【００２９】
また、本実施例においては、係合爪３ｅを上端面部３ａ側に設けたが、下端面部３ｄ側に設けることもできる。この場合においても、略同等の作用及び効果を奏することは勿論である。
【００３０】
更に、本実施例における係合手段は、スライドホック部材２及び基体３における幅方向の略中央部に位置するものであったが、当該箇所に限られるものではなく、例えば、幅方向の端部において列設する係合孔２ｄを櫛形状とすることもできる。本実施例における係合手段は、スライドホック部材２及び基体３における幅方向のいずれの箇所に設けた際にも、同等の作用及び効果を奏することは勿論である。
【００３１】
また、図６及び図７に示すように、上述の実施例におけるスライドホック部材２における係合孔２ｄを係合凸部２ｇに置換し、基体３における係合爪３ｅを係合孔３ｉに置換した調節用鉤ホック１Ａとすることもできる。
【００３２】
上述の実施例における係合手段は、主に図１に示すように、スライドホック部材２における係合孔２ｄに基体３における係合爪３ｅを係合させるものであったが、別仕様における係合手段は、主に図６に示すように、スライドホック部材２における雄ホック２ｂを有しない側の平面部２ａに設けられた係合凸部２ｇを、基体３における上端面部３ａに設けられた係合孔３ｉに係合させるものである。
【００３３】
また、別仕様においては、係合凸部２ｇをスライドホック部材２における雄ホック２ｂを有しない側の平面部２ａに設けたが、雄ホック２ｂ側の平面部２ａに設けることもできる。その際には、係合孔３ｉにおいても、下端面部３ｄ側に設けなければならない。この場合においても、略同等の作用及び効果を奏することは勿論である。
【００３４】
更に、別仕様における係合手段は、上述の実施例と同様に、スライドホック部材２及び基体３における幅方向の略中央部に位置するものであるが、当該箇所に限られるものではなく、スライドホック部材２及び基体３における幅方向のいずれの箇所に設けた際にも、同等の作用及び効果を奏することは勿論である。
【００３５】
また、本願発明は上述の実施例に限られず、各種のズボン、スカート等のウエスト部に設けられる衣服用ホックである衣服用雌ホックにおいても採用することができるものである。
【００３６】
更に、係合手段である係合孔又は係合凸部を可能な限り増加させることで、利用者のウエストサイズに適合するサイズを拡張させることができる。
【図面の簡単な説明】
【００３７】
【図１】本発明の実施例における調節用鉤ホック及び固定体の斜視図である。
【図２】本発明の実施例における調節用鉤ホックの（ａ）正面図、及び（ｂ）正面垂直断面図である。
【図３】本発明の実施例における調節用鉤ホックの（ａ）背面図、及び（ｂ）平面図である。
【図４】本発明の実施例における調節用鉤ホックをズボンのウエスト部へ取り付けた際の部分説明図である。
【図５】本発明の実施例における調節用鉤ホックをズボンのウエスト部へ取り付けた際の垂直断面図である。
【図６】本発明の実施例における別仕様の調節用鉤ホックの斜視図である。
【図７】本発明の実施例における別仕様の調節用鉤ホックの（ａ）正面図、及び（ｂ）正面垂直断面図である。
【符号の説明】
【００３８】
１、１Ａ  調節用鉤ホック
２        スライドホック部材
２ａ      平面部
２ｂ      雄ホック
２ｃ      当接片
２ｄ      係合孔
２ｅ      段差
２ｆ      ホック内突起
２ｇ      係合凸部
３        基体
３ａ      上端面部
３ｂ      第一側面部
３ｃ      第二側面部
３ｄ      下端面部
３ｅ      係合爪
３ｆ      溝
３ｇ      切欠片
３ｈ      爪部
３ｉ      係合孔
４        固定体
４ａ      段部
４ｂ      貫通孔
５        ズボン
５ａ      ウエスト部
５ｂ      上生地
５ｃ      下生地
５ｄ      ズボン雌ホック
【図１】
2010000177.tif 000003
【図２】
2010000177.tif 000004
【図３】
2010000177.tif 000005
【図４】
2010000177.tif 000006
【図５】
2010000177.tif 000007
【図６】
2010000177.tif 000008
【図７】
2010000177.tif 000009